(57)【要約】【課題】無線通信装置による通信の安定化を図る。【解決手段】複数のアンテナと、上記各アンテナにおける受信信号の受信信号強度を検出する受信レベル検出手段と、上記各アンテナに対応してそれぞれ設定された補正係数を記憶する補正係数記憶手段と、上記各アンテナにおける各受信信号強度を当該各アンテナに対応して設定された上記各補正係数にてそれぞれ補正し、当該補正した各補正受信信号強度を比較する受信レベル比較手段と、比較結果に応じて、無線通信に使用する上記アンテナを選択して当該アンテナを用いて通信可能なよう切り替えるアンテナ切替手段と、アンテナを使用した無線通信における接続の成否を検出する接続成否検出手段と、上記接続成否検出手段にて検出した接続の成否に基づいて、上記補正係数を算出して上記補正係数記憶手段に記憶する補正係数算出手段と、を備える。【選択図】図１
2010130036.tif 000002
【特許請求の範囲】
【請求項１】
複数のアンテナと、
前記各アンテナにおける受信信号の受信信号強度を検出する受信レベル検出手段と、
前記各アンテナに対応してそれぞれ設定され、当該各アンテナの受信信号強度を補正する補正係数を記憶する補正係数記憶手段と、
前記受信レベル検出手段にて検出した前記各アンテナにおける各受信信号強度を、当該各アンテナに対応して設定された前記各補正係数にてそれぞれ補正し、当該補正した各補正受信信号強度を比較する受信レベル比較手段と、
前記受信レベル比較手段による前記各補正受信信号強度の比較結果に応じて、無線通信に使用する前記アンテナを選択して当該アンテナを用いて通信可能なよう切り替えるアンテナ切替手段と、
前記アンテナ切替手段にて切り替えたアンテナを使用した無線通信における接続の成否を検出する接続成否検出手段と、
前記接続成否検出手段にて検出した接続の成否に基づいて、前記補正係数を算出して前記補正係数記憶手段に記憶する補正係数算出手段と、
を備えた無線通信装置。
【請求項２】
請求項１記載の無線通信装置であって、
無線通信装置にて実行される通信種別を判別する通信種別判別手段を備え、
前記補正係数は、前記通信種別毎に前記各アンテナに対応してそれぞれ設定されており、
前記受信レベル比較手段は、前記受信レベル検出手段にて検出した前記各アンテナにおける受信信号強度を、前記通信種別判別手段にて判別した通信種別における前記各アンテナに対応して設定された前記各補正係数を用いてそれぞれ補正し、
前記補正係数算出手段は、前記通信種別判別手段にて判別した通信種別における前記各アンテナに対応する前記補正係数を算出する、
無線通信装置。
【請求項３】
請求項２記載の無線通信装置であって、
前記アンテナ切替手段は、前記接続成否検出手段にて無線通信における接続の失敗を検出した場合に、当該接続に失敗したアンテナとは異なる他のアンテナを用いて通信可能なよう切り替える、
無線通信装置。
【請求項４】
請求項２乃至３記載の無線通信装置であって、
前記受信レベル比較手段は、前記受信信号強度に前記補正係数を掛け合わせて補正し、
前記補正係数算出手段は、前記通信種別判別手段にて判別した通信種別における接続に成功した前記アンテナに対応する前記補正係数が増加するよう当該補正係数を算出する、
無線通信装置。
【請求項５】
請求項２乃至４記載の無線通信装置であって、
前記受信レベル比較手段は、前記受信信号強度に前記補正係数を掛け合わせて補正し、
前記補正係数算出手段は、前記通信種別判別手段にて判別した通信種別における、接続に成功した回数が多い前記アンテナに対応する前記補正係数ほど大きくなるよう当該補正係数を算出する、
無線通信装置。
【請求項６】
請求項２乃至５記載の無線通信装置であって、
前記受信レベル比較手段は、前記受信信号強度に前記補正係数を掛け合わせて補正し、
前記補正係数算出手段は、前記通信種別判別手段にて判別した通信種別における前記補正係数を「アンテナ毎の接続成功回数／総接続成功回数」とする、
無線通信装置。
【請求項７】
請求項２乃至６記載の無線通信装置であって、
前記アンテナは、２本であり、
前記受信レベル比較手段は、前記受信信号強度に前記補正係数を掛け合わせて補正し、
前記補正係数算出手段は、前記通信種別判別手段にて判別した通信種別における一方の前記アンテナに対応する前記補正係数を「一方のアンテナの接続成功回数／総接続成功回数」とし、前記通信種別判別手段にて判別した通信種別における他方のアンテナに対応する前記補正係数を「（総接続成功回数−一方のアンテナの接続成功回数）／総接続成功回数」とする、
無線通信装置。
【請求項８】
請求項１乃至７記載の無線通信装置であって、
前記アンテナを、無線通信装置自体の長手方向の中央部分と一端部分とに備えた、
無線通信装置。
【請求項９】
複数のアンテナを備えた無線通信装置に装備された制御装置に、
前記各アンテナにおける受信信号の受信信号強度を検出する受信レベル検出手段と、
前記受信レベル検出手段にて検出した前記各アンテナにおける各受信信号強度を、当該各アンテナに対応してそれぞれ設定され無線通信装置内に記憶されている各補正係数にてそれぞれ補正し、当該補正した各補正受信信号強度を比較して、この比較結果に応じて無線通信に使用する前記アンテナを選択し、当該アンテナを用いて通信可能なよう切り替える受信レベル比較手段と、
前記アンテナ切替手段にて切り替えたアンテナを使用した無線通信における接続の成否を検出する接続成否検出手段と、
前記接続成否検出手段にて検出した接続の成否に基づいて、前記補正係数を算出して記憶する補正係数算出手段と、
を実現させるためのプログラム。
【請求項１０】
請求項９記載のプログラムであって、
無線通信装置に装備された制御装置に、当該無線通信装置にて実行される通信種別を判別する通信種別判別手段をさらに実現させると共に、
前記補正係数は、前記通信種別毎に前記各アンテナに対応してそれぞれ設定されており、
前記受信レベル比較手段は、前記受信レベル検出手段にて検出した前記各アンテナにおける受信信号強度を、前記通信種別判別手段にて判別した通信種別における前記各アンテナに対応して設定された前記各補正係数にてそれぞれ補正し、
前記補正係数算出手段は、前記通信種別判別手段にて判別した通信種別における前記各アンテナに対応する前記補正係数を算出する、
プログラム。
【請求項１１】
複数のアンテナを備えた無線通信装置にて、
前記各アンテナにおける受信信号の受信信号強度を検出する受信レベル検出工程と、
前記受信レベル検出工程にて検出した前記各アンテナにおける各受信信号強度を、当該各アンテナに対応してそれぞれ設定され無線通信装置内に記憶されている各補正係数にてそれぞれ補正し、当該補正した各補正受信信号強度を比較する受信レベル比較工程と、
前記受信レベル比較工程による前記各補正受信信号強度の比較結果に応じて、無線通信に使用する前記アンテナを選択して当該アンテナを用いて通信可能なよう切り替えるアンテナ切替工程と、
前記アンテナ切替工程にて切り替えたアンテナを使用した無線通信における接続の成否を検出する接続成否検出工程と、
前記接続成否検出工程にて検出した接続の成否に基づいて、前記補正係数を算出して無線通信装置内に記憶する補正係数算出工程と、
を有する無線通信方法。
【請求項１２】
請求項１１記載の無線通信方法であって、
無線通信装置にて実行される通信種別を判別する通信種別判別工程を有し、
前記補正係数は、前記通信種別毎に前記各アンテナに対応してそれぞれ設定されており、
前記受信レベル比較工程は、前記受信レベル検出工程にて検出した前記各アンテナにおける受信信号強度を、前記通信種別判別工程にて判別した通信種別における前記各アンテナに対応して設定された前記各補正係数にてそれぞれ補正し、
前記補正係数算出工程は、前記通信種別判別工程にて判別した通信種別における前記各アンテナに対応する前記補正係数を算出する、
無線通信方法。
【発明の詳細な説明】
【技術分野】
【０００１】
本発明は、無線通信装置にかかり、特に、複数のアンテナを装備し、通信に使用するアンテナを選択する機能を有する無線通信装置に関する。
【背景技術】
【０００２】
近年、携帯電話機やＰＨＳ（Personal Handy-phone System）など、携帯型の無線通信装置が普及している。そして、無線通信装置では、通話やデータ通信時における受信電波状況、つまり、通信品質の向上を図ることが課題となっている。
【０００３】
例えば、特許文献１に開示の携帯電話機は、音声通話用アンテナと、その他通信用アンテナを装備している。そして、携帯電話機で起動されるアプリケーションに従って、一方のアンテナに切り替える。これにより、人体影響による無線通信装置のアンテナ特性の劣化が少ないアンテナ選択を可能としている。
【０００４】
また、特許文献２に開示の携帯電話機では、複数のアンテナを装備し、当該複数のアンテナにてそれぞれ受信された信号の受信信号強度を示すＲＳＳＩ（Received Signal Strength Indication）値に基づいて、アンテナを選択している。特に、この文献では、携帯電話機で作動している機能毎に対応して設定されている補正値を用いて、上記ＲＳＳＩを補正して、アンテナを選択している。
【０００５】
【特許文献１】特開２００４−３４３５７７号公報
【特許文献２】特開２００８−７９２０３号公報
【発明の開示】
【発明が解決しようとする課題】
【０００６】
しかしながら、上記特許文献１に開示の技術では、各通信に利用するアンテナをそれぞれ１つしか装備していないため、ユーザの携帯電話機の持ち方によっては、使用するアンテナを手で覆ってしまうことがあり、当該アンテナの受信感度が低下しうる。また、特許文献２に開示の技術では、携帯電話器にて作動している機能に応じてＲＳＳＩ値を補正しているものの、このときに使用する補正値は固定であるため、上述同様に、ユーザの携帯電話機の持ち方によっては使用するアンテナを手で覆ってしまうことがあり、ＲＳＳＩ値の適切な補正ができない。
【０００７】
従って、上述した特許文献に開示の技術では、ユーザ毎に異なる携帯電話機の持ち方に対応して適切なアンテナの選択を実現することができない。その結果、携帯電話機による通信移行に失敗したり、通信に移行しても再接続に至る場合や、切断してしまう場合があり、通信の安定化を図ることができない、という問題があった。そして、上述した問題は、携帯電話機に限らず、あらゆる携帯型の無線通信装置にも生じる。
【０００８】
このため、本発明の目的は、上述した課題である、無線通信装置における通信の安定化を図る、ことにある。
【課題を解決するための手段】
【０００９】
上記目的を達成するため本発明の一形態である無線通信装置は、
複数のアンテナと、
上記各アンテナにおける受信信号の受信信号強度を検出する受信レベル検出手段と、
上記各アンテナに対応してそれぞれ設定され、当該各アンテナの受信信号強度を補正する補正係数を記憶する補正係数記憶手段と、
上記受信レベル検出手段にて検出した上記各アンテナにおける各受信信号強度を、当該各アンテナに対応して設定された上記各補正係数にてそれぞれ補正し、当該補正した各補正受信信号強度を比較する受信レベル比較手段と、
上記受信レベル比較手段による上記各補正受信信号強度の比較結果に応じて、無線通信に使用する上記アンテナを選択して当該アンテナを用いて通信可能なよう切り替えるアンテナ切替手段と、
上記アンテナ切替手段にて切り替えたアンテナを使用した無線通信における接続の成否を検出する接続成否検出手段と、
上記接続成否検出手段にて検出した接続の成否に基づいて、上記補正係数を算出して上記補正係数記憶手段に記憶する補正係数算出手段と、
を備える。
【００１０】
また、本発明の他の形態であるプログラムは、
複数のアンテナを備えた無線通信装置に装備された制御装置に、
上記各アンテナにおける受信信号の受信信号強度を検出する受信レベル検出手段と、
上記受信レベル検出手段にて検出した上記各アンテナにおける各受信信号強度を、当該各アンテナに対応してそれぞれ設定され無線通信装置内に記憶されている各補正係数にてそれぞれ補正し、当該補正した各補正受信信号強度を比較して、この比較結果に応じて無線通信に使用する上記アンテナを選択し、当該アンテナを用いて通信可能なよう切り替える受信レベル比較手段と、
上記アンテナ切替手段にて切り替えたアンテナを使用した無線通信における接続の成否を検出する接続成否検出手段と、
上記接続成否検出手段にて検出した接続の成否に基づいて、上記補正係数を算出して記憶する補正係数算出手段と、
を実現させるためのプログラムである。
【００１１】
また、本発明の他の形態である無線通信方法は、
複数のアンテナを備えた無線通信装置にて、
上記各アンテナにおける受信信号の受信信号強度を検出する受信レベル検出工程と、
上記受信レベル検出工程にて検出した上記各アンテナにおける各受信信号強度を、当該各アンテナに対応してそれぞれ設定され無線通信装置内に記憶されている各補正係数にてそれぞれ補正し、当該補正した各補正受信信号強度を比較する受信レベル比較工程と、
上記受信レベル比較工程による上記各補正受信信号強度の比較結果に応じて、無線通信に使用する上記アンテナを選択して当該アンテナを用いて通信可能なよう切り替えるアンテナ切替工程と、
上記アンテナ切替工程にて切り替えたアンテナを使用した無線通信における接続の成否を検出する接続成否検出工程と、
上記接続成否検出工程にて検出した接続の成否に基づいて、上記補正係数を算出して無線通信装置内に記憶する補正係数算出工程と、
を有する。
【発明の効果】
【００１２】
本発明は、以上のように構成されることにより、無線通信装置にて、ユーザの持ち方に対応して接続成功となりうる適切なアンテナを選択することができ、通信の安定化を図ることができる。
【発明を実施するための最良の形態】
【００１３】
＜実施形態１＞
本発明の第１の実施形態を、図１を参照して説明する。図１は、無線通信装置の構成を示す機能ブロック図である。なお、本実施形態では、無線通信装置の概略を説明する。
【００１４】
図１に示すように、本実施形態における無線通信装置１は、
複数のアンテナ８，９と、
上記各アンテナ８，９における受信信号の受信信号強度を検出する受信レベル検出手段２と、
上記各アンテナに対応してそれぞれ設定され、当該各アンテナの受信信号強度を補正する補正係数を記憶する補正係数記憶手段７と、
上記受信レベル検出手段２にて検出した上記各アンテナにおける各受信信号強度を、当該各アンテナに対応して設定された上記各補正係数にてそれぞれ補正し、当該補正した各補正受信信号強度を比較する受信レベル比較手段３と、
上記受信レベル比較手段３による上記各補正受信信号強度の比較結果に応じて、無線通信に使用する上記アンテナを選択して当該アンテナを用いて通信可能なよう切り替えるアンテナ切替手段６と、
上記アンテナ切替手段６にて切り替えたアンテナを使用した無線通信における接続の成否を検出する接続成否検出手段４と、
上記接続成否検出手段４にて検出した接続の成否に基づいて、上記補正係数を算出して上記補正係数記憶手段７に記憶する補正係数算出手段５と、
を備えている。
【００１５】
上記構成の無線通信装置によると、まず、無線通信装置は、複数のアンテナによる受信信号強度をそれぞれ検出する。そして、検出した各受信信号強度を、当該受信信号を受信した各アンテナに対応して設定された補正係数にて補正し、これら各補正受信信号強度を比較する。その後、各補正受信信号強度の比較結果に応じてアンテナを選択し、この選択したアンテナを用いて通信可能なよう切り替える。例えば、最も高い補正受信信号強度となった受信信号を受信したアンテナを使用するよう切り替える。そして、さらに、切り替えたアンテナを使用した無線通信における接続の成否を検出し、その成否に応じて、上述した補正係数を算出して、記憶する。
【００１６】
従って、実際にアンテナを切り替えた場合における接続の成否の状況に応じて受信信号強度の補正係数が記憶されるため、ユーザの持ち方によるアンテナ特性を適切に反映して、受信信号強度を補正することができる。その結果、ユーザの持ち方に対応して接続成功となりうる適切なアンテナを選択することができ、無線通信装置による通信の安定化を図ることができる。
【００１７】
また、上記無線通信装置では、
無線通信装置にて実行される通信種別を判別する通信種別判別手段を備え、
上記補正係数は、上記通信種別毎に上記各アンテナに対応してそれぞれ設定されており、
上記受信レベル比較手段は、上記受信レベル検出手段にて検出した上記各アンテナにおける受信信号強度を、上記通信種別判別手段にて判別した通信種別における上記各アンテナに対応して設定された上記各補正係数を用いてそれぞれ補正し、
上記補正係数算出手段は、上記通信種別判別手段にて判別した通信種別における上記各アンテナに対応する上記補正係数を算出する、
という構成を採る。
【００１８】
これにより、例えば、通話通信時やデータ通信時といった通信種別毎に、接続の成否に基づいて各アンテナに対応した補正係数を算出する。従って、通信種別によって異なるユーザの持ち方に応じたアンテナ特性を適切に反映した補正係数を設定することができる。その結果、ユーザの持ち方に対応して接続成功となりうる適切なアンテナを選択することができ、無線通信装置による通信の安定化を図ることができる。
【００１９】
また、上記無線通信装置では、
上記アンテナ切替手段は、上記接続成否検出手段にて無線通信における接続の失敗を検出した場合に、当該接続に失敗したアンテナとは異なる他のアンテナを用いて通信可能なよう切り替える、
という構成を採る。
【００２０】
また、上記無線通信装置では、
上記受信レベル比較手段は、上記受信信号強度に上記補正係数を掛け合わせて補正し、
上記補正係数算出手段は、上記通信種別判別手段にて判別した通信種別における接続に成功した上記アンテナに対応する上記補正係数が増加するよう当該補正係数を算出する、
という構成を採る。
【００２１】
また、上記無線通信装置では、
上記受信レベル比較手段は、上記受信信号強度に上記補正係数を掛け合わせて補正し、
上記補正係数算出手段は、上記通信種別判別手段にて判別した通信種別における、接続に成功した回数が多い上記アンテナに対応する上記補正係数ほど大きくなるよう当該補正係数を算出する、
という構成を採る。
【００２２】
また、上記無線通信装置では、
上記受信レベル比較手段は、上記受信信号強度に上記補正係数を掛け合わせて補正し、
上記補正係数算出手段は、上記通信種別判別手段にて判別した通信種別における上記補正係数を「アンテナ毎の接続成功回数／総接続成功回数」とする、
という構成を採る。
【００２３】
また、上記無線通信装置では、
上記アンテナは、２本であり、
上記受信レベル比較手段は、上記受信信号強度に上記補正係数を掛け合わせて補正し、
上記補正係数算出手段は、上記通信種別判別手段にて判別した通信種別における一方の上記アンテナに対応する上記補正係数を「一方のアンテナの接続成功回数／総接続成功回数」とし、上記通信種別判別手段にて判別した通信種別における他方のアンテナに対応する上記補正係数を「（総接続成功回数−一方のアンテナの接続成功回数）／総接続成功回数」とする、
という構成を採る。
【００２４】
また、上記無線通信装置では、
上記アンテナを、無線通信装置自体の長手方向の中央部分と一端部分とに備えた、
という構成を採る。
【００２５】
このように、接続が成功したアンテナの補正係数が大きくなるように算出することで、以後、そのアンテナが選択されやすくなる。その結果、ユーザの持ち方に適切に対応して接続成功の可能性が高まり、通信のさらなる安定化を図ることができる。
【００２６】
また、上述した無線通信装置は、当該無線通信装置に装備された制御装置に無線通信装置用プログラムが組み込まれることで実現できる。具体的に、本発明の他の形態である無線通信装置用プログラムは、複数のアンテナを備えた無線通信装置に装備された制御装置に、
上記各アンテナにおける受信信号の受信信号強度を検出する受信レベル検出手段と、
上記受信レベル検出手段にて検出した上記各アンテナにおける各受信信号強度を、当該各アンテナに対応してそれぞれ設定され無線通信装置内に記憶されている各補正係数にてそれぞれ補正し、当該補正した各補正受信信号強度を比較して、この比較結果に応じて無線通信に使用する上記アンテナを選択し、当該アンテナを用いて通信可能なよう切り替える受信レベル比較手段と、
上記アンテナ切替手段にて切り替えたアンテナを使用した無線通信における接続の成否を検出する接続成否検出手段と、
上記接続成否検出手段にて検出した接続の成否に基づいて、上記補正係数を算出して記憶する補正係数算出手段と、
を実現させる、という構成を採っている。
【００２７】
そして、上記プログラムでは、
上記無線通信装置の制御装置に、当該無線通信装置にて実行される通信種別を判別する通信種別判別手段をさらに実現させると共に、
上記補正係数は、上記通信種別毎に上記各アンテナに対応してそれぞれ設定されており、
上記受信レベル比較手段は、上記受信レベル検出手段にて検出した上記各アンテナにおける受信信号強度を、上記通信種別判別手段にて判別した通信種別における上記各アンテナに対応して設定された上記各補正係数にてそれぞれ補正し、
上記補正係数算出手段は、上記通信種別判別手段にて判別した通信種別における上記各アンテナに対応する上記補正係数を算出する、
という構成を採る。
【００２８】
また、上述した無線通信装置が作動することにより実行される無線通信方法は、
複数のアンテナを備えた無線通信装置にて、
上記各アンテナにおける受信信号の受信信号強度を検出する受信レベル検出工程と、
上記受信レベル検出工程にて検出した上記各アンテナにおける各受信信号強度を、当該各アンテナに対応してそれぞれ設定され無線通信装置内に記憶されている各補正係数にてそれぞれ補正し、当該補正した各補正受信信号強度を比較する受信レベル比較工程と、
上記受信レベル比較工程による上記各補正受信信号強度の比較結果に応じて、無線通信に使用する上記アンテナを選択して当該アンテナを用いて通信可能なよう切り替えるアンテナ切替工程と、
上記アンテナ切替工程にて切り替えたアンテナを使用した無線通信における接続の成否を検出する接続成否検出工程と、
上記接続成否検出工程にて検出した接続の成否に基づいて、上記補正係数を算出して無線通信装置内に記憶する補正係数算出工程と、
を有する。
【００２９】
そして、上記無線通信方法では、
無線通信装置にて実行される通信種別を判別する通信種別判別工程を有し、
上記補正係数は、上記通信種別毎に上記各アンテナに対応してそれぞれ設定されており、
上記受信レベル比較工程は、上記受信レベル検出工程にて検出した上記各アンテナにおける受信信号強度を、上記通信種別判別工程にて判別した通信種別における上記各アンテナに対応して設定された上記各補正係数にてそれぞれ補正し、
上記補正係数算出工程は、上記通信種別判別工程にて判別した通信種別における上記各アンテナに対応する上記補正係数を算出する、
という構成を有する。
【００３０】
上述した構成を有する、プログラム、又は、無線通信方法、の発明であっても、上記無線通信装置と同様の作用を有するために、上述した本発明の目的を達成することができる。
【００３１】
＜実施形態２＞
本発明の第２の実施形態を、図２乃至図９を参照して説明する。図２は、携帯電話機の外観構成を示す図であり、図３は、携帯電話機の内部構成を示す機能ブロック図である。図４乃至図５は、携帯電話機の使用時の様子を示す図である。図６は、各アンテナの受信レベルを示す図である。図７は、補正係数の一例を示す図である。図８乃至図９は、携帯電話機の動作を示すフローチャートである。
【００３２】
ここで、本実施形態は、上述した実施形態１にて開示した無線通信装置の具体的な一例を示すものである。そして、以下では、無線通信装置の一例として、携帯電話機を挙げて説明する。但し、無線通信装置は、携帯電話機に限定されず、ＰＨＳ（Personal Handy-phone System）やスマートフォン、無線通信機能を有するＰＤＡ（Personal Digital Assistant）などの情報処理端末であってもよい。
【００３３】
［構成］
図２に示すように、本実施形態における携帯電話機１０は、一対の筐体を備えた折り畳み式の携帯電話機である。そして、一方の筐体に、ユーザに携帯電話機１０の動作や通信状態等を通知するための表示部１１を備えている。また、他方の筐体に、ユーザが携帯電話機１０の発信・着信等の操作を行うためのテンキーなどの操作部１２を備えている。なお、携帯電話機１０は、折り畳み型であることに限定されない。
【００３４】
また、携帯電話機１０は、音声通話時及びデータ通信時の両方に利用可能な、同一周波数帯のアンテナを２本備えている。そして、一方のアンテナ２１は、一対の筐体の係合箇所付近、具体的には、下側筐体内部の上側筐体との連結側端部付近に設けられている。つまり、一方のアンテナ２１は、携帯電話機１０を開いたときの長手方向のほぼ中央付近に装備されている。また、他方のアンテナ２２は、一対の筐体の端部付近、具体的には、下側筐体内部の上側筐体側とは反対側の端部付近に設けられている。つまり、他方のアンテナ２２は、携帯電話機１０を開いたときの長手方向のほぼ一端付近（下端付近）に装備されている。なお、アンテナ２１，２２の装備位置は、上述した位置に限定されない。
【００３５】
ここで、本実施形態においてアンテナ２１，２２を複数装備していることについて、図４乃至図６を参照して説明する。通常、ユーザＵは、携帯電話機１０を手で持って操作するが、持ち方等などによっては、手でアンテナが覆われることとなり、当該アンテナの受信感度劣化が生じる。この回避策としては、携帯電話機１０では、同一周波数帯のアンテナ２１，２２を複数実装し、両方のアンテナの受信レベルを比較して、良好な受信状態にあるアンテナを選択する、という構成を採っている。なお、本実施形態では、図６（Ａ）に示すように、携帯電話機１０が、ユーザＵが手に持っていない状態である自由空間に存在している場合には、アンテナ２１の方がアンテナ２２に比べて受信感度がよいこととする。
【００３６】
ここで、図４に、音声通話時におけるユーザＵの携帯電話機１０の持ち方の一例を示す。この図に示す例では、ユーザＵは、音声通話時に携帯電話機１０を自分の横（頬付近）に持ってくるため、携帯電話機１０の長手方向における中央付近を把持する。すると、アンテナ２１が手で覆われるため、図６（Ｂ）に示すように、受信感度が低下する。一方、アンテナ２２は、手で覆われていないため、受信感度の低下はほとんど見られない。
【００３７】
また、図５に、メール通信時におけるユーザＵの携帯電話機１０の持ち方の一例を示す。この図に示す例では、ユーザＵは、メール通信時には、操作部１２を操作しやすいように、携帯電話機１０の一端付近を把持する。すると、アンテナ２２が手で覆われるため、図６（Ｃ）に示すように、受信感度が低下する。一方、アンテナ２１は、手で覆われていないため、受信感度の低下はほとんど見られない。
【００３８】
このように、ユーザＵによる携帯電話機１０の持ち方は、通信種類（音声通話やメール通信など）によってある程度決まってくる。つまり、ユーザＵ毎の持ち方の癖によって、アンテナ毎の受信感度が異なる。
【００３９】
一方で、携帯電話機１０では、無線通信を行っているため、フェージングなどによってアンテナ選択の瞬間だけ受信レベルが正常ではないことがある。例えば、ユーザＵの手で覆われているアンテナの方が、他のアンテナよりも受信レベルが高いことも起こりうる。このような場合に、ユーザＵの手で覆われているアンテナが選択されてしまうと、後に電波の受信状況が正常になった場合には、接続が安定しない、ということが生じうる。従って、上述したように、ユーザＵの持ち方の癖に応じて、本発明では、各アンテナ１０の受信感度を補正する補正係数を更新する、という特徴を有している。つまり、ユーザＵの持ち方の癖によって本来は受信感度が高いアンテナの受信感度の方が常に高くなるよう補正し、当該受信感度が高いアンテナが選択されるようにしている。
【００４０】
なお、上述したユーザＵによる携帯電話機１０の持ち方は一例であって、必ずしも上記持ち方に限定されない。一方で、ユーザＵによって持ち方が異なる場合であっても、その持ち方によるアンテナ毎の受信感度の劣化を、適切に補正係数にて反映することが可能である。
【００４１】
次に、図３を参照して、携帯電話機１０の内部構成を説明する。携帯電話機１０は、ＣＰＵ（Central Processing Unit）といった携帯電話機１０自体の動作を制御する制御部３０を備えている。この制御部３０は、ユーザによる操作部１２からの入力を認識し、表示部１１の表示制御を行い、音声通話やデータ通信時の無線通信制御を行う、携帯電話機１０に必要な基本的な機能を備えている。また、携帯電話機１０は、制御部３０にて処理されるデータを保持したり、携帯電話機１０のユーザ設定などを記憶する、フラッシュメモリなどの記憶部４０を備えている。また、携帯電話機１０は、通信のために電波の送受信を行うための無線部５０を備えている。以下、各構成についてさらに詳述する。
【００４２】
上記制御部３０は、携帯電話機用プログラムが組み込まれることによって構築された、通信種別判別部３１と、受信レベル検出部３２と、受信レベル比較部３３と、接続成否検出部３４と、補正係数算出部３５と、を備えている。また、記憶部４０は、補正係数記憶部４１を備えている。また、無線部５０は、アンテナ切替部５１を備えている。
【００４３】
上記通信種別判別部３１は、各アンテナ２１，２２から無線部５０を介して受信した信号から、あるいは、ユーザからの入力に応じて、携帯電話機１０が実行しようとしている通信種別を判別する。例えば、アンテナ２１，２２及び無線部５０を介して基地局からの呼出しを検出すると、このときに受信した信号の内容から、この呼出しの種類が音声通話であるか、あるいは、メール通信であるか、を判別する。そして、判別結果である通信種別を、受信レベル比較部３３と補正係数算出部３５とに渡す。なお、通信種別判別部３１は、後述する補正係数算出部３５で補正係数を算出する際に、その時点で接続している通信種別を判別するよう作動してもよい。
【００４４】
また、上記受信レベル検出部３２（受信レベル検出手段）は、各アンテナ２１，２２における受信信号の受信信号強度（受信レベル）をそれぞれ検出する。そして、検出した各アンテナ２１，２２の受信レベルを、それぞれ受信レベル比較部３３に渡す。
【００４５】
また、上記受信レベル比較部３３（受信レベル比較手段）は、まず、上述した受信レベル検出部３２から渡された各アンテナ２１，２２の各受信レベルを、記憶部４０の補正係数記憶部４１（補正係数記憶手段）に記憶されている補正係数を用いてそれぞれ補正する。
【００４６】
ここで、補正係数について、図７を参照して説明する。図７に示すように、補正係数は、通信種別毎に、かつ、アンテナ毎に設定され記憶されている。例えば、通信種別が「音声通話」である場合には、アンテナ２１の補正係数は「０．３」に設定されており、アンテナ２２の補正係数は「０．７」に設定されている。また、通信種別が「メール通信」である場合には、アンテナ２１の補正係数は「０．８」に設定されており、アンテナ２２の補正係数は「０．２」に設定されている。なお、本実施形態では、同一の通信種別においては、各アンテナに対応する補正係数の和が「１．０」になるよう設定されている。
【００４７】
そして、上記受信レベル比較部３３では、各アンテナ２１，２２にて検出した受信レベルに、通信種別判別部３１で判別した通信種別における各アンテナ２１，２２に対応する各補正係数を掛け合わせる。つまり、通信種別が「音声通話」であると判別した場合には、アンテナ２１で検出した受信レベルには、音声通話用補正係数でありアンテナ２１に対応する補正係数「０．３」を乗算して、当該アンテナ２１の補正受信レベルとする。また、アンテナ２２で検出した受信レベルには、音声通話用補正係数でありアンテナ２２に対応する補正係数「０．７」を乗算して、当該アンテナ２２の補正受信レベルとする。
【００４８】
そして、上記受信レベル比較部３３は、上述したように算出した各アンテナ２１，２２における補正受信レベルの大小を比較し、当該補正受信レベルが大きい方のアンテナを特定する。また、受信レベル比較部３３は、この特定したアンテナを現在の通信接続に使用するアンテナとして、アンテナ切替部５１に指示する。
【００４９】
これにより、無線部５０に装備されたアンテナ切替部５１（アンテナ切替手段）は、使用すると特定されたアンテナを接続するよう、当該アンテナの切り替えを実行する。例えば、アンテナ切替部５１は、スイッチ回路にてアンテナと無線部５０及び制御部３０との接続を切り替える。これにより、携帯電話機１０は、切り替えたアンテナを介して、音声通話やメール通信等の通信接続を実行する。
【００５０】
また、上記接続成否検出部３４（接続成否検出手段）は、上述したように切り替えたアンテナを使用して実行した無線通信が成功したか否かを検出する。例えば、通信種別が音声通話である場合に、上記受信レベル比較部３３でアンテナ２２が選択された場合には、当該アンテナ２２に切り替えられた状態で通信接続を実行し、接続が成功するか否かを検出する。そして、接続が成功した場合には、この接続が成功したアンテナを特定する情報を補正係数算出部３５に通知する。一方で、接続に失敗した場合には、アンテナ切替部５１に別のアンテナ２１に切り替えるよう指示する。これにより、アンテナ切替部５１では、別のアンテナ２１への切り替えが実行される。そして、接続成否検出部３４は、切り替えられた別のアンテナ２１にて接続が成功するかどうかを検出し、成功した場合には、この接続が成功したアンテナを特定する情報を補正係数算出部３５に通知する。
【００５１】
上記補正係数算出部３５（補正係数算出手段）は、切り替えたアンテナによる接続の成功／失敗に基づいて、補正係数を算出し、補正係数記憶部４１に記憶する。つまり、実際のアンテナの接続の成否に応じて、補正係数を更新する。具体的には、通信種別判別部３１にて判別された通信種別を取得し、この通信種別で接続に成功したアンテナに対応する補正係数を算出する。例えば、通信種別が「音声通話」であり、アンテナ２２で接続に成功した場合には、通信種別「音声通話」のアンテナ２２に対応する補正係数を算出する。このとき、補正係数は、例えば、「アンテナ毎の接続成功回数／総接続成功回数」にて求める。つまり、この例では、「接続成功回数」は、接続が成功した時の条件、つまり上記の場合には、通信種別「音声通話」でアンテナ２２を使用した場合における接続成功回数である。また、「総接続成功回数」は、接続が成功したときの通信種別、つまり上記の場合には、通信種別「音声通話」時におけるいずれかのアンテナ２１，２２を使用して接続に成功した総回数である。
【００５２】
従って、同一の通信種別において各アンテナ２１，２２に対応する各補正係数は、接続に成功したアンテナに対応する方の数値が増加し、接続に成功する回数が多くなればなるほど、補正係数の値が増加する、という性質を有する。すると、この補正係数は、各アンテナ２１，２２にて検出した受信信号の受信レベルに乗算されるため、補正係数が大きいほど補正受信レベルの値が大きくなる。従って、補正係数が大きいアンテナが選択され易くなる。
【００５３】
そして、このように補正係数が設定されることで、上述した図４及び図５に示すユーザＵの持ち方の癖にも適切に対応して、良好な受信感度を有するアンテナを選択できるようになる。つまり、例えば、上述した図４に示すように、音声通話時にユーザＵは携帯電話機１０の中央部分を持つ場合には、通常は、アンテナ２１の感度が悪くなるが、場合によってはフェージングなどにより、アンテナ２１の感度がアンテナ２２よりもよいこともありうる。ところが、この状態は長く続かないため、アンテナ２２が選択されることが望ましく、また、アンテナ２２の方が過去に接続に成功していることが多い。すると、このような場合には、音声通話時におけるアンテナ２２の補正係数の方が、アンテナ２１よりも高いため、補正受信レベルが高くなるよう算出される。従って、アンテナ２２が選択される可能性が高くなり、接続の安定性の向上を図ることができる。
【００５４】
［動作］
次に、上記携帯電話機１０の動作を、図８乃至図９を参照して説明する。まず、アンテナ２１，２２にて基地局からの呼信号を検出して通信を開始すると、各アンテナ２１，２２による受信レベルを検出する（ステップＳ１、受信レベル検出工程）。その後、受信した呼信号から、通信種別が「音声通話」であるか「メール通信」であるかを判別する（ステップＳ２、通信種別判別工程）。
【００５５】
続いて、判別された通信種別に設定されている各アンテナ２１，２２の補正係数を選択する。つまり、通信種別が「音声通話」である場合には（ステップＳ３：音声）、音声通話用の各アンテナ２１，２２にそれぞれ設定された補正係数を読み出す（ステップＳ４）。一方、通信種別が「メール通信」である場合には（ステップＳ３：メール）、メール通信用の各アンテナ２１，２２にそれぞれ設定された補正係数を読み出す（ステップＳ５）。
【００５６】
続いて、上述したように読み出した補正係数を、対応するアンテナ２１，２２にて検出した各受信レベルに乗算し（ステップＳ６）、当該各受信レベルを補正する。そして、各アンテナ２１，２２の各補正受信レベルを比較する（ステップＳ７、受信レベル比較工程）。このとき、例えば、補正係数が図７に示す数値であり、通信種別が「音声通話」である場合には、アンテナ２１にて検出した受信レベルに補正係数「０．３」を乗算し、アンテナ２２にて検出した受信レベルに補正係数「０．７」を乗算する。そして、これら補正後の補正受信レベルの大小を比較する。
【００５７】
続いて、補正した各アンテナの受信レベルである補正受信レベルを比較して、値の大きい方のアンテナを選択し、この選択したアンテナにて通信可能なよう切り替える（ステップＳ８、アンテナ切替工程）。そして、切り替えたアンテナを用いて判別された通信種別にて通信接続を試み、接続が成功したか否かを検出する（ステップＳ９、接続成否検出工程）。このとき、接続に失敗した場合には（ステップＳ９：Ｎｏ）、アンテナを他方のアンテナに変更して切り替える（ステップＳ１０）。そして、切り替えた他方のアンテナで、再度、通信接続を試み、接続が成功したか否かを検出する（ステップＳ１１）。
【００５８】
その後、いずれかのアンテナで接続に成功した場合には（ステップＳ９：Ｙｅｓ、あるいは、ステップＳ１１：Ｙｅｓ）、通信を継続すると共に、接続している通信種別を判別する（ステップＳ１２、ステップＳ１３）。そして、その通信種別において設定されている各アンテナの補正係数を算出する（ステップＳ１４，Ｓ１５、補正係数算出工程）。
【００５９】
例えば、通信種別が「音声通話」であり、アンテナ２１で通信接続が成功した場合には、これまで「音声通話」にて、［アンテナ２１で接続が成功した回数］／［総接続成功回数（アンテナ２１及びアンテナ２２で接続が成功した回数）］を算出し、当該音声通話時のアンテナ２１の補正係数として記憶する。また、総接続成功回数が増えているため、アンテナ２２の補正係数も算出する。つまり、これまで「音声通話」にて、［アンテナ２２で接続が成功した回数］／［総接続成功回数（アンテナ２１及びアンテナ２２で接続が成功した回数）］を算出し、当該音声通話時のアンテナ２２の補正係数として記憶する。なお、各通信種別毎に、各アンテナ２１，２２にて接続が成功した回数及び総接続成功回数は、例えば、接続成否検出手段３４がカウントして、記憶部４０に記憶しておくことで、上述した補正係数の算出時に利用することができる。
【００６０】
なお、上記では、補正係数の算出式として、通信種別毎における「アンテナの接続成功回数／総接続成功回数」としたが、他の式にて算出してもよい。例えば、各アンテナによる接続成功回数の比が反映されるよう補正係数を算出してもよい。また、上述したように、アンテナが２本の場合には、一方のアンテナの補正係数としては、「一方のアンテナの接続成功回数／総接続成功回数」とし、他方のアンテナの補正係数としては、「総接続成功回数−一方のアンテナの接続成功回数）／総接続成功回数」としてもよい。
【００６１】
以上により、実際にアンテナを切り替えた場合における接続の成否の状況に応じて受信信号強度（受信レベル）の補正係数が算出されて記憶されるため、ユーザの持ち方によるアンテナ特性を適切に反映して、受信信号強度を補正することができる。その結果、ユーザの持ち方に対応して接続成功となりうる適切なアンテナを自動的に選択することができ、無線通信装置による通信の安定化を図ることができる。
【産業上の利用可能性】
【００６２】
本発明は、複数のアンテナを装備した携帯電話機などの無線通信装置に利用することができ、産業上の利用可能性を有する。
【図面の簡単な説明】
【００６３】
【図１】実施形態１における無線通信装置の構成を示す機能ブロック図である。
【図２】実施形態２における携帯電話機の外観構成を示す図である。
【図３】図２に開示した携帯電話機の内部構成を示す機能ブロック図である。
【図４】図２に開示した携帯電話機のユーザによる使用時の様子を示す図である。
【図５】図２に開示した携帯電話機のユーザによる使用時の様子を示す図である。
【図６】図２に開示した各アンテナの受信レベルを示す図である。
【図７】図２に開示した補正係数記憶部に記憶される補正係数の一例を示す図である。
【図８】図２に開示した携帯電話機の動作を示すフローチャートである。
【図９】図２に開示した携帯電話機の動作を示すフローチャートであり、図８の続きを示す。
【符号の説明】
【００６４】
１  無線通信装置
２  受信レベル検出手段
３  受信レベル比較手段
４  接続成否検出手段
５  補正係数算出手段
６  アンテナ切替手段
７  補正係数記憶手段
８，９  アンテナ
１０  携帯電話機
１１  表示部
１２  操作部
２１，２２  アンテナ
３０  制御部
３１  通信種別判別部
３２  受信レベル検出部
３３  受信レベル比較部
３４  接続成否検出部
３５  補正係数算出部
４０  記憶オブ
４１  補正係数記憶部
５０  無線部
５１  アンテナ切替部
Ｕ  ユーザ
【図１】
2010130036.tif 000003
【図２】
2010130036.tif 000004
【図３】
2010130036.tif 000005
【図４】
2010130036.tif 000006
【図５】
2010130036.tif 000007
【図６】
2010130036.tif 000008
【図７】
2010130036.tif 000009
【図８】
2010130036.tif 000010
【図９】
2010130036.tif 000011